(57)【要約】【課題】小型化を図ることができる基板実装型の光コネクタを提供すること、更に、シールド性能の信頼性を向上させることのできる基板実装型の光コネクタを提供すること。【解決手段】複数のリードフレーム１３が平面状に整列配置されたＦＯＴユニット１０と、ＦＯＴユニット１０を収容保持する樹脂製のハウジング２０と、このハウジング２０の外周に嵌合するシールドケース３０と、を備える基板実装型の光コネクタ１において、リードフレーム１３の保護のためにハウジング２０に装備する一対の保護壁２３，２４は、シールドケース３０の両側部壁３３，３４の内側となる位置に装備する。【選択図】図４
2015075740.tif 000002
【特許請求の範囲】
【請求項１】
複数のリードフレームが回路基板の表面と平行な平面状に整列配置されたＦＯＴユニットと、
前記ＦＯＴユニットを収容保持するＦＯＴ収容部と、前記ＦＯＴ収容部に収容した前記ＦＯＴユニットの複数の前記リードフレームの両側に張り出して設けられて前記リードフレームを保護する一対の保護壁と、を有した樹脂製のハウジングと、
当該ハウジングの外周に嵌合して前記ＦＯＴユニットの周囲を電磁遮蔽するシールドケースと、
を備える基板実装型の光コネクタであって、
前記一対の保護壁が、前記ハウジングの両側壁に被さる前記シールドケースの両側部壁の内側となる位置に装備されたことを特徴とする基板実装型の光コネクタ。
【請求項２】
前記ハウジングは、前記一対の保護壁に連なって形成されて、前記シールドケースの後部壁に係合して前記シールドケースの前記後部壁の後方への開きを規制する開き防止リブが装備されたことを特徴とする請求項１に記載の基板実装型の光コネクタ。
【請求項３】
前記シールドケースは、前記ハウジングの上面を覆う上部壁と、該上部壁の後端縁から垂下して前記ハウジングの後面を覆う第１の後部壁と、前記上部壁の両側縁から垂下して前記ハウジングの両側面を覆う側部壁と、該側部壁の後端縁から延出して前記第１の後部壁に折り重ねられた第２の後部壁と、を備え、
前記開き防止リブは、前記第２の後部壁の外面に当接して前記第２の後部壁を介して前記第１の後部壁の後方への開きを規制していることを特徴とする請求項２に記載の基板実装型の光コネクタ。
【発明の詳細な説明】
【技術分野】
【０００１】
本発明は、リードフレームを複数導出して回路基板に実装される基板実装型の光コネクタに関する。
【背景技術】
【０００２】
図５及び図６は、下記特許文献１に開示された基板実装型の光コネクタを示している。
この基板実装型の光コネクタ１００は、図５に示すように、ＦＯＴ（Fiber Optic Transceiver ）ユニット１１０と、樹脂製のハウジング１２０と、金属製のシールドケース１３０と、を備えていて、回路基板１４０に実装される。
【０００３】
ＦＯＴユニット１１０は、略直方体状のケース１１１の下端の一側縁に、回路基板１４０上の接点パターンに接続する複数のリードフレーム１１２を備えている。複数のリードフレーム１１２は、回路基板１４０の表面と平行な平面状に整列配置されている。また、ケース１１１内には、リードフレーム１１２に接続された光素子が収容されている。
【０００４】
ハウジング１２０は、ＦＯＴ収容部１２１と、コネクタ嵌合部１２２と、一対の保護壁１２３，１２４と、基板係合部１２６と、を備えている。
【０００５】
ＦＯＴ収容部１２１は、ＦＯＴユニット１１０を所定位置に収容保持する空間で、後面に開口して設けられている。ＦＯＴ収容部１２１は、前述の複数のリードフレーム１１２が回路基板１４０に接触するように、ＦＯＴユニット１１０を収容保持する。
【０００６】
コネクタ嵌合部１２２は、ＦＯＴユニット１１０に接続する相手側光コネクタを嵌合させる部位で、前面に開口して設けられている。このコネクタ嵌合部１２２には、図５に示すように、相手側光コネクタを誘導するガイドリブ１２５が装備されている。
【０００７】
一対の保護壁１２３，１２４は、図６に示すように、ＦＯＴ収容部１２１に収容したＦＯＴユニット１１０の複数のリードフレーム１１２の両側に張り出して設けられていて、これらのリードフレーム１１２を保護する。また、一対の保護壁１２３，１２４は、ハウジング１２０の外周に被さるシールドケース１３０の両側部壁１３３，１３４の外側に位置していて、シールドケース１３０の両側部壁１３３，１３４が外方に開くことを抑止している。
【０００８】
基板係合部１２６は、ハウジング１２０の底部に突設されていて、図５に示すように、回路基板１４０に形成された取付孔１４１と係合することで、ハウジング１２０を回路基板１４０に位置決めする。
【０００９】
シールドケース１３０は、図５及び図６に示すように、ハウジング１２０の上面１２０ａを覆う上部壁１３１と、該上部壁１３１の後端縁から垂下してハウジング１２０の後面を覆う後部壁１３２と、上部壁１３１の両側縁から垂下してハウジング１２０の両側面を覆う一対の側部壁１３３，１３４と、を備えている。このシールドケース１３０は、図６に示すように、ハウジング１２０の外周に嵌合してＦＯＴユニット１１０の周囲を電磁遮蔽する。また、シールドケース１３０は、ハウジング１２０に嵌合した際、一対の側部壁１３３，１３４がハウジング１２０の一対の保護壁１２３，１２４に挟まれて、開き方向への移動が規制される。
【先行技術文献】
【特許文献】
【００１０】
【特許文献１】特開２０１３−４４３７号公報
【発明の概要】
【発明が解決しようとする課題】
【００１１】
ところが、特許文献１の光コネクタ１００では、リードフレーム１１２を保護するために装備される一対の保護壁１２３，１２４が、ハウジング１２０に被さるシールドケース１３０の外側に配置されており、これらの一対の保護壁１２３，１２４が、コネクタの大型化を招く可能性があった。
【００１２】
また、複数のリードフレーム１１２の両側にシールドケース１３０の側部壁１３３，１３４が露呈するため、外側に位置するリードフレーム１１２が変形した場合に、変形したリードフレーム１１２がシールドケース１３０に接触する可能性があった。
【００１３】
また、特許文献１の光コネクタ１００では、シールドケース１３０の後部壁１３２は、側部壁１３３，１３４の後端縁１３３ａ，１３４ａを折り重ねることで、後方への開きを規制しているが、規制力が弱く、後部壁１３２が後方に開いて、シールド性能の低下を招く可能性があった。
【００１４】
そこで、本発明の目的は、上記課題を解消することに係り、小型化を図ることができる基板実装型の光コネクタを提供すること、さらに、シールド性能の信頼性を向上させることのできる基板実装型の光コネクタを提供すること、にある。
【課題を解決するための手段】
【００１５】
本発明の前述した目的は、下記の構成により達成される。
（１）  複数のリードフレームが回路基板の表面と平行な平面状に整列配置されたＦＯＴユニットと、
前記ＦＯＴユニットを収容保持するＦＯＴ収容部と、前記ＦＯＴ収容部に収容した前記ＦＯＴユニットの複数の前記リードフレームの両側に張り出して設けられて前記リードフレームを保護する一対の保護壁と、を有した樹脂製のハウジングと、
当該ハウジングの外周に嵌合して前記ＦＯＴユニットの周囲を電磁遮蔽するシールドケースと、
を備える基板実装型の光コネクタであって、
前記一対の保護壁が、前記ハウジングの両側壁に被さる前記シールドケースの両側部壁の内側となる位置に装備されたことを特徴とする基板実装型の光コネクタ。
【００１６】
（２）  前記ハウジングは、前記一対の保護壁に連なって形成されて、前記シールドケースの後部壁に係合して前記シールドケースの前記後部壁の後方への開きを規制する開き防止リブが装備されたことを特徴とする上記（１）に記載の基板実装型の光コネクタ。
【００１７】
（３）  前記シールドケースは、前記ハウジングの上面を覆う上部壁と、該上部壁の後端縁から垂下して前記ハウジングの後面を覆う第１の後部壁と、前記上部壁の両側縁から垂下して前記ハウジングの両側面を覆う側部壁と、該側部壁の後端縁から延出して前記第１の後部壁に折り重ねられた第２の後部壁と、を備え、
前記開き防止リブは、前記第２の後部壁の外面に当接して前記第２の後部壁を介して前記第１の後部壁の後方への開きを規制していることを特徴とする上記（２）に記載の基板実装型の光コネクタ。
【００１８】
上記（１）の構成によれば、複数のリードフレームの両側に張り出してこれらのリードフレームを保護する一対の保護壁が、ハウジングの両側壁に被さるシールドケースの両側部壁の内側に収まるため、一対の保護壁がシールドケースの両側部壁の外側に突出する場合と比較して、小型化を図ることができる。また、リードフレームとシールドケースの側部壁との間に保護壁が介在するため、リードフレームがシールドケースに接触することを確実に防止することができる。
【００１９】
上記（２）の構成によれば、ハウジングの一対の保護壁に連なって設けられた開き防止リブがシールドケースの後部壁の後方への開きを規制するため、後部壁の後方への開きに対して高い規制力を確保することができる。従って、後部壁が後方に開くことに起因したシールド性能の低下を防止して、シールド性能の信頼性を向上させることができる。
【００２０】
上記（３）の構成によれば、ハウジングの後面を覆うシールドケースの第１の後部壁は、当該シールドケースの側部壁の後端縁から延出して第１の後部壁に折り重ねられた第２の後部壁と、樹脂製ハウジングの開き防止リブとの双方によって、後方への開きが規制される。そのため、シールドケースの後部壁の後方への開きに対して更に高い規制力を確保することができ、シールド性能の信頼性を更に向上させることができる。
【発明の効果】
【００２１】
本発明による基板実装型の光コネクタによれば、小型を図ることができ、更に、シールド性能の信頼性を向上させることができる。
【００２２】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００２３】
【図１】図１は本発明に係る基板実装型の光コネクタの一実施形態の分解斜視図である。
【図２】図２は図１に示した基板実装型の光コネクタの組み立て状態の側面図である。
【図３】図３は図２に示した基板実装型の光コネクタの後面側から視た斜視図である。
【図４】図４は図２に示した基板実装型の光コネクタの底面側から視た斜視図である。
【図５】図５は従来の基板実装型の光コネクタの分解斜視図である。
【図６】図６は図５に示した基板実装型の光コネクタの組み立て状態の斜視図である。
【発明を実施するための形態】
【００２４】
以下、本発明に係る基板実装型の光コネクタの好適な実施形態について、図面を参照して詳細に説明する。
【００２５】
図１〜図４は本発明に係る基板実装型の光コネクタの一実施形態を示したもので、図１は本発明の一実施形態の基板実装型の光コネクタの分解斜視図、図２は図１に示した基板実装型の光コネクタの組み立て状態の側面図、図３は図２に示した基板実装型の光コネクタの後面側から視た斜視図、図４は図２に示した基板実装型の光コネクタの底面側から視た斜視図である。
【００２６】
この一実施形態の基板実装型の光コネクタ１は、図１に示すように、ＦＯＴユニット１０と、樹脂製のハウジング２０と、金属製のシールドケース３０と、を備えていて、不図示の回路基板の表面に実装される。
【００２７】
ＦＯＴユニット１０は、直方体状のケース１１ａ内に光素子を収容したＦＯＴ本体１１と、ケース１１ａに組み付けられて相手側光コネクタとの間の軸ずれを抑制する割スリープ１２と、を備えている。
【００２８】
また、本実施形態のＦＯＴユニット１０は、図４に示すように、ケース１１ａの下面１１ｂに、複数のリードフレーム１３を備えている。複数のリードフレーム１３は、ケース１１ａ内の光素子から導出した接続端子で、当該光コネクタ１が実装される回路基板の表面と平行な平面状に整列配置されている。この複数のリードフレーム１３は、回路基板上の接点パターンに接続される。
【００２９】
ハウジング２０は、樹脂の射出成形によって一体形成される。このハウジング２０は、図１及び図３に示すように、略角筒状の構造に形成されていて、ＦＯＴ収容部２１と、コネクタ嵌合部２２と、一対の保護壁２３，２４と、開き防止リブ２６と、ケース位置決め部２８と、を備えている。
【００３０】
ＦＯＴ収容部２１は、ＦＯＴユニット１０を所定位置に収容保持する空間で、当該ハウジング２０の後面に開口して設けられている。このＦＯＴ収容部２１は、前述の複数のリードフレーム１３が回路基板に接触するように、ＦＯＴユニット１０を収容保持する。
【００３１】
コネクタ嵌合部２２は、ＦＯＴユニット１０に接続する相手側光コネクタを嵌合させる部位で、当該ハウジング２０の前面に開口して設けられている。このコネクタ嵌合部２２は、前述のＦＯＴ収容部２１に連通している。このコネクタ嵌合部２２には、図１に示すように、相手側光コネクタを誘導するガイドリブ２７が装備されている。
【００３２】
一対の保護壁２３，２４は、ハウジング２０の両側壁２０ａ，２０ｂの後端から後方に延出した壁部である。一対の保護壁２３，２４は、図２及び図３に示すように、両側壁２０ａ，２０ｂの後端の下面から高さＨ１の大きさ範囲に形成されている。この一対の保護壁２３，２４は、ＦＯＴ収容部２１に収容したＦＯＴユニット１０の複数のリードフレーム１３の両側に張り出して設けられていて、これらのリードフレーム１３を保護する。
【００３３】
一対の保護壁２３，２４の高さＨ１は、リードフレーム１３の高さｈ２よりも若干大きな寸法である。本実施形態の場合、ＦＯＴユニット１０は、その複数のリードフレーム１３が、図３の矢印Ｘ１方向から視る側面視で、一対の保護壁２３，２４の高さＨ１の範囲内に収まるように、ＦＯＴ収容部２１に保持されている。
【００３４】
また、本実施形態の場合、一対の保護壁２３，２４は、後述するシールドケース３０の側部壁が被さるハウジング２０の両側壁２０ａ，２０ｂの後縁を延長したもので、シールドケース３０の両側部壁の内側となる位置に装備されている。
【００３５】
開き防止リブ２６は、一対の保護壁２３，２４の上縁を垂直上方に延長した壁部で、一対の保護壁２３，２４に連なっている。この開き防止リブ２６は、シールドケース３０の第２の後部壁３５ａ，３５ｂの後面に係合して、シールドケース３０の第１の後部壁３２及び第２の後部壁３５ａ，３５ｂの後方への開きを規制する。
【００３６】
ケース位置決め部２８は、ハウジング２０の両側壁２０ａ，２０ｂに装備されている。本実施形態のケース位置決め部２８は、シールドケース３０の側部壁３３，３４の位置決め縁部３３ａ，３４ａが当接する隆起構造で、ハウジング２０に嵌合装着されたシールドケース３０の前後方向及び上下方向の位置を決定する。
【００３７】
シールドケース３０は、図１及び図３に示すように、ハウジング２０の上面を覆う上部壁３１と、該上部壁３１の後端縁から垂下してハウジング２０の後面を覆う第１の後部壁３２と、上部壁３１の両側縁から垂下してハウジング２０の両側面を覆う一対の側部壁３３，３４と、これらの側部壁３３，３４の後端縁から延出して第１の後部壁３２に折り重ねられた第２の後部壁３５ａ，３５ｂと、を備えている。
【００３８】
第２の後部壁３５ａ，３５ｂは、第１の後部壁３２に折り重ねられることで、第１の後部壁３２の後方への開きを規制する。
【００３９】
このシールドケース３０は、ハウジング２０の外周に嵌合してＦＯＴユニット１０の周囲を電磁遮蔽する。また、シールドケース３０は、ハウジング２０の外周に嵌合させると、一対の側部壁３３，３４に設けられた位置決め縁部３３ａ，３４ａが、ハウジング２０の一対の保護壁２３，２４に突設されたケース位置決め部２８と係合して、位置決めされる。位置決め縁部３３ａ，３４ａは、ケース位置決め部２８と係合する鉤形の形状Ｆを有していて、ケース位置決め部２８と係合することで、シールドケース３０の前後方向及び上下方向の位置が決定される。
【００４０】
前述したハウジング２０の開き防止リブ２６は、図３に示すように、第２の後部壁３５ａ，３５ｂの外面に当接して、第１の後部壁３２及び第２の後部壁３５ａ，３５ｂの開き（後方への移動）を規制している。
【００４１】
以上に説明した一実施形態の光コネクタ１では、複数のリードフレーム１３の両側に張り出してこれらのリードフレーム１３を保護する一対の保護壁２３，２４が、ハウジング２０の両側壁に被さるシールドケース３０の両側部壁３３，３４の内側に収まる。そのため、一対の保護壁２３，２４がシールドケース３０の両側部壁の外側に突出する場合と比較して、小型化を図ることができる。また、リードフレーム１３とシールドケース３０の側部壁３３，３４との間に保護壁２３，２４が介在するため、リードフレーム１３がシールドケース３０に接触することを確実に防止することができる。
【００４２】
また、一実施形態の光コネクタ１の場合、ハウジング２０の一対の保護壁２３，２４に連なって設けられた開き防止リブ２６がシールドケース３０の後部壁３２の後方への開きを規制するため、後部壁３２の後方への開きに対して高い規制力を確保することができる。従って、後部壁３２が後方に開くことに起因したシールド性能の低下を防止して、シールド性能の信頼性を向上させることができる。
【００４３】
また、一実施形態の光コネクタ１の場合、ハウジング２０の後面を覆うシールドケース３０の第１の後部壁３２は、当該シールドケース３０の側部壁３３，３４の後端縁から延出して第１の後部壁３２に折り重ねられた第２の後部壁３５ａ，３５ｂと、ハウジング２０の開き防止リブ２６との双方によって、後方への開きが規制される。そのため、シールドケース３０の後部壁３２の後方への開きに対して更に高い規制力を確保することができ、シールド性能の信頼性をさらに向上させることができる。
【００４４】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４５】
ここで、上述した本発明に係る基板実装型の光コネクタの実施形態の特徴をそれぞれ以下［１］〜［３］に簡潔に纏めて列記する。
【００４６】
［１］  複数のリードフレーム（１３）が回路基板の表面と平行な平面状に整列配置されたＦＯＴユニット（１０）と、
前記ＦＯＴユニット（１０）を収容保持するＦＯＴ収容部（２１）と、前記ＦＯＴ収容部（２１）に収容した前記ＦＯＴユニット（１０）の複数の前記リードフレーム（１３）の両側に張り出して設けられて前記リードフレーム（１３）を保護する一対の保護壁（２３，２４）と、を有した樹脂製のハウジング（２０）と、
当該ハウジング（２０）の外周に嵌合して前記ＦＯＴユニット（１０）の周囲を電磁遮蔽するシールドケース（３０）と、
を備える基板実装型の光コネクタ（１）であって、
前記一対の保護壁（２３，２４）が、前記ハウジング（２０）の両側壁に被さる前記シールドケース（３０）の両側部壁（３３，３４）の内側となる位置に装備されたことを特徴とする基板実装型の光コネクタ（１）。
【００４７】
［２］  前記ハウジング（２０）は、前記一対の保護壁（２３，２４）に連なって形成されて、前記シールドケース（３０）の後部壁（３２）に係合して前記シールドケース（３０）の前記後部壁（３２）の後方への開きを規制する開き防止リブ（２６）が装備されたことを特徴とする上記［１］に記載の基板実装型の光コネクタ（１）。
【００４８】
［３］  前記シールドケース（３０）は、前記ハウジング（２０）の上面を覆う上部壁（３１）と、該上部壁（３１）の後端縁から垂下して前記ハウジング（２０）の後面を覆う第１の後部壁（３２）と、前記上部壁（３１）の両側縁から垂下して前記ハウジング（２０）の両側面を覆う側部壁（３３，３４）と、該側部壁（３３，３４）の後端縁から延出して前記第１の後部壁（３２）に折り重ねられた第２の後部壁（３５ａ，３５ｂ）と、を備え、
前記開き防止リブ（２６）は、前記第２の後部壁（３５ａ，３５ｂ）の外面に当接して前記第２の後部壁（３５ａ，３５ｂ）を介して前記第１の後部壁（３２）の後方への開きを規制していることを特徴とする上記［２］に記載の基板実装型の光コネクタ（１）。
【符号の説明】
【００４９】
１  光コネクタ
１０  ＦＯＴユニット
１３  リードフレーム
２０  ハウジング
２１  ＦＯＴ収容部
２３，２４  保護壁
２６  開き防止リブ
３０  シールドケース
３１  上部壁
３２  第１の後部壁（後部壁）
３３，３４  側部壁
３５ａ，３５ｂ  第２の後部壁（後部壁）
【図１】
2015075740.tif 000003
【図２】
2015075740.tif 000004
【図３】
2015075740.tif 000005
【図４】
2015075740.tif 000006
【図５】
2015075740.tif 000007
【図６】
2015075740.tif 000008